(57)【要約】【課題】  光電素子を用いた非接触型センサが天井側に配置された蛍光灯等の外部光源からの光によって誤作動することを防止することができ、これによって遊技者の意図しない所定のパチンコ遊技の誤動作を防止すること。【解決手段】  略直方体形状の非接触型センサ１５の両側面の上端付近に、両側に突き出るように水平軸１５ｃを固定し、これら水平軸１５ｃを、ベース１３の凸部１３ａ内に配設した水平軸取付部材１３ｄに回動自在に取り付け、これによって、非接触型センサ１５が常時自重で重力方向に吊り下がって発光／受光面１５ｄが重力方向に対して直交する水平方向を向くようにする。【選択図】      図１
2005177346.tif 000002
【特許請求の範囲】
【請求項１】
光の発光及び受光を行う光電素子から発光した光が、この光の放射方向にかざされた光の反射手段で反射された際に、この反射光を受光面を介して光電素子で受光することによりスイッチング動作を行う非接触型センサを有し、そのスイッチング動作によってパチンコ遊技の所定動作を制御するようになされたパチンコ機において、
前記非接触型センサの受光面が常時重力方向と直交する方向を向くように、当該非接触型センサを自重による重力方向への吊り下がり状態に支持する支持手段を備え、
前記支持手段によって前記非接触型センサをパチンコ機前面に支持する
ことを特徴とするパチンコ機。
【請求項２】
前記支持手段によって支持された非接触型センサを、当該非接触型センサの受光面が任意の上下方向に向くように調整して固定する調整手段
を更に備えたことを特徴とする請求項１に記載のパチンコ機。
【請求項３】
光の発光及び受光を行う光電素子から発光した光が、この光の放射方向にかざされた光の反射手段で反射された際に、この反射光を受光面を介して光電素子で受光することによりスイッチング動作を行う非接触型センサを有し、そのスイッチング動作によってパチンコ遊技の所定動作を制御するようになされたパチンコ機において、
前記非接触型センサを、当該非接触型センサの受光面が任意の上下方向に向くように調整して固定する調整手段
を備えたことを特徴とするパチンコ機。
【発明の詳細な説明】
【技術分野】
【０００１】
本発明は、遊技盤の前面に配設された非接触型センサに手をかざすことによって、画面に表示動作中の図柄を停止させる機能を備えたパチンコ機に関する。
【背景技術】
【０００２】
従来からパチンコ機においては、遊技に変化を持たせるために遊技者がスイッチを操作する構成が採られている。例えば遊技盤において遊技者が操作し易い位置に配設された接触型のタッチセンサや、光電素子を用いた非接触型センサがある。これらのセンサは、一般的に遊技盤の画面に表示動作中の図柄を停止させる目的で設けられている。
タッチセンサは、遊技者が当該センサを手で直接触れたことを検知するものであり、この検知によって動作中の図柄が停止するようになっている。
【０００３】
非接触型センサは、当該センサの前方を遊技者が手をかざすことによって、上記同様に動作中の図柄を停止させるためのものであり、例えば図４に示すように取り付けられている。即ち、パチンコ機の遊技盤１１の前面左隅の領域に、非接触型センサを取り付けるためのベース１３が配設され、このベース１３に非接触型センサ１５が固定されている。
図５に示すように、ベース１３は山高帽子状を成し、その凸部１３ａの上面に、非接触型センサ１５の発光／受光面を遊技者側へ露出するための略長方形状の切抜部分１３ｂが形成されている。その凸部１３ａ内における切抜部分１３ｂの両側には、ネジ穴が形成された円柱形状のセンサ取付部材１３ｃが２本固定されており、これらセンサ取付部材１３ｃに、非接触型センサ１５がネジ１７によって固定されている。
【０００４】
また、非接触型センサ１５は、図６に示す遊技盤１１の非接触型センサ１５部分の断面図に破線矢印で示すように、発光素子１５ａから光を発光して外部へ放射しており、この放射光が手１９で反射されると、この反射光を受光素子１５ｂで受光することによってスイッチング動作（スイッチオン）するようになっている。このスイッチング動作によって、図柄の動作が停止する。
この種の従来のパチンコ機として、例えば特許文献１に記載のものがある。
【特許文献１】特願２００２−３２８７６３号公報
【発明の開示】
【発明が解決しようとする課題】
【０００５】
ところで、従来のパチンコ機においては、パチンコ店に遊技盤１１を設置する際に、図７に示すように、遊技盤１１の盤面１１ａを、水平な床面に垂直な垂直線２１に対して基準設置角度θ＝約１度で交わるように傾け、この斜め上向きに傾けることによって盤面１１ａを球が流下するように設置される。
しかし、このように盤面１１ａが斜め上向きとなるように設置されると、盤面１１ａに固定された非接触型センサ１５の発光／受光面１５ｄも同様に斜め上向きとなるので、天井２２に固定（又は天井２２側に配設）されている蛍光灯２３からの破線矢印で示す光が、発光／受光面１５ｄに受光状態となりやすい角度で入射される。このため、非接触型センサ１５が蛍光灯２３の光を受光し易くなって誤作動するという問題がある。
【０００６】
また、図柄が動作中の場合に、遊技者が手をかざしていないにも関らず非接触型センサ１５が上記のように誤作動すると、遊技者の意図に反して動作中の図柄が停止してしまうなど、所定のパチンコ遊技の誤動作が生じる問題がある。
本発明は、このような課題に鑑みてなされたものであり、光電素子を用いた非接触型センサが天井側に配置された蛍光灯等の外部光源からの光によって誤作動することを防止することができ、これによって遊技者の意図しない所定のパチンコ遊技の誤動作を防止することができるパチンコ機を提供することを目的としている。
【課題を解決するための手段】
【０００７】
上記目的を達成するために、本発明の請求項１によるパチンコ機は、光の発光及び受光を行う光電素子から発光した光が、この光の放射方向にかざされた光の反射手段で反射された際に、この反射光を受光面を介して光電素子で受光することによりスイッチング動作を行う非接触型センサを有し、そのスイッチング動作によってパチンコ遊技の所定動作を制御するようになされたパチンコ機において、前記非接触型センサの受光面が常時重力方向と直交する方向を向くように、当該非接触型センサを自重による重力方向への吊り下がり状態に支持する支持手段を備え、前記支持手段によって前記非接触型センサをパチンコ機前面に支持することを特徴としている。
【０００８】
この構成によれば、非接触型センサが常時重力方向に吊り下がることによって、受光面が常時重力方向と直交する水平方向を向くので、天井に固定（又は天井側に配設）されている蛍光灯等の外部光源からの光の放射方向が、受光面に対して受光されにくい角度となる。これによって、非接触型センサが外部光源からの光を受光しにくくなるので、従来のような外部光源からの光による誤作動を防止することができる。更に、これによって、従来のような非接触型センサの誤作動による遊技者の意図に反した図柄動作の停止など、所定のパチンコ遊技の誤動作を防止することができる。
【０００９】
また、本発明の請求項２によるパチンコ機は、請求項１において、前記支持手段によって支持された非接触型センサを、当該非接触型センサの受光面が任意の上下方向に向くように調整して固定する調整手段を更に備えたことを特徴としている。
この構成によれば、非接触型センサの受光面が水平方向を向く状態に、調整手段で調整して固定することができるので、受光面を振動などでぶれないように安定状態で固定することができる。これによって、外部光源の光による誤作動を、より生じないようにすることができる。
【００１０】
また、受光面がやや床方向を向くように調整して固定すれば、上方からの光が入射されなくなるので、外部光源からの光による誤作動を完全に防止することができる。
また、本発明の請求項３によるパチンコ機は、光の発光及び受光を行う光電素子から発光した光が、この光の放射方向にかざされた光の反射手段で反射された際に、この反射光を受光面を介して光電素子で受光することによりスイッチング動作を行う非接触型センサを有し、そのスイッチング動作によってパチンコ遊技の所定動作を制御するようになされたパチンコ機において、前記非接触型センサを、当該非接触型センサの受光面が任意の上下方向に向くように調整して固定する調整手段を備えたことを特徴としている。
この構成によれば、非接触型センサを、この受光面にパチンコ機の上方に配置された外部光源からの光が入射されない状態に、調整手段で調整して固定することができるので、外部光源からの光による誤作動を完全に防止することができる。
【発明の効果】
【００１１】
以上説明したように本発明によれば、光電素子を用いた非接触型センサが天井側に配置された蛍光灯等の外部光源からの光によって誤作動することを防止することができ、これによって遊技者の意図しない所定のパチンコ遊技の誤動作を防止することができるという効果がある。
【発明を実施するための最良の形態】
【００１２】
以下、本発明の実施の形態を、図面を参照して説明する。但し、本明細書中の全図において相互に対応する部分には同一符号を付し、重複部分においては後述での説明を適時省略する。
（第１の実施の形態）
図１は、本発明の第１の実施の形態に係るパチンコ機に取り付けられる非接触型センサの取り付け構造を示し、（ａ）はベースに非接触型センサを取り付けた状態の正面図、（ｂ）は非接触型センサの取り付け構造の分解斜視図、（ｃ）は非接触型センサのベースへの取り付け部分の状態を示す断面図である。
【００１３】
図１に示すように、第１の実施の形態の特徴は、略直方体形状の非接触型センサ１５の両側面の上端付近に、両側に突き出るように水平軸１５ｃを固定し、これら水平軸１５ｃを、ベース１３の凸部１３ａ内に配設した水平軸取付部材１３ｄに回動自在に取り付け、これによって、非接触型センサ１５が常時自重で重力方向に吊り下がって発光／受光面１５ｄが重力方向に対して直交する水平方向を向くようにした。なお、水平軸１５ｃの固定位置は、非接触型センサ１５の重心より上であればよい。
【００１４】
更に説明すると、各水平軸１５ｃは、水平軸取付部材１３ｄの凹部分に挿入された後、止め部材２５を介して外れないようにネジ２７で回動自在に取り付けられている。
このように非接触型センサ１５を取り付けることによって、図２に示すように、パチンコ店に遊技盤１１を設置する際に、その盤面１１ａを垂直線２１に対して基準設置角度θ＝約１度で交わるように傾けて設置した場合でも、非接触型センサ１５が自重で重力方向Ｇ１に吊り下がるので、発光／受光面１５ｄが水平方向を向くようになる。
【００１５】
このような、第１の実施の形態によれば、発光／受光面１５ｄが常時水平方向を向くので、天井２２に固定（又は天井２２側に配設）されている蛍光灯２３から発光される破線矢印で示す光の放射方向が、発光／受光面１５ｄに対して受光されにくい角度となるので、非接触型センサ１５が蛍光灯２３の光を受光しにくくなって従来のような誤作動を防止することができる。更に、これによって、従来のような非接触型センサ１５の誤作動による遊技者の意図に反した図柄動作の停止など、パチンコ遊技の誤動作を防止することができる。
【００１６】
この他、非接触型センサ１５の上面を点吊りすることによって、非接触型センサ１５が常時自重で重力方向Ｇ１に吊り下がって発光／受光面１５ｄが水平方向を向くようにしても、上記同様の効果を得ることができる。
つまり、非接触型センサ１５が常時自重で重力方向Ｇ１に吊り下がって発光／受光面１５ｄが水平方向を向く状態となるように、非接触型センサ１５を遊技盤１１に取り付ける構造であれば、どのような構造でもよい。例えば、支持手段としては、非接触型センサ１５の上面を強靭な糸等で１乃至は複数箇所点吊りする構成も考えられる。
なお、本実施の形態においては、水平軸１５ｃ、ベース１３、水平軸取付部材１３ｄ、止め部材２５、ネジ２７によって、支持手段が構成されている。
【００１７】
（第２の実施の形態）
図３は、本発明の第２の実施の形態に係るパチンコ機に取り付けられる非接触型センサの取り付け構造を示し、（ａ）はその正面図、（ｂ）は（ａ）に示すＡ１−Ａ２断面図、（ｃ）は（ｂ）に示す破線枠内の拡大図である。
図３に示す第２の実施の形態が、第１の実施の形態と異なる点は、水平軸１５ｃを有する非接触型センサ１５の上下面にセンサ面調整部（調整手段）３１を更に備え、このセンサ面調整部３１で発光／受光面１５ｄが向く方向を任意に調整可能としたことにある。
上下のセンサ面調整部３１は、非接触型センサ１５の上下面に取り付けられ、図３（ｃ）に示すように内部が空洞に広がった貫通穴３１ａが形成された凸状部材３１ｂと、貫通穴３１ａの空洞に移動自在に挿入されたナット３１ｃと、ネジ止め輪３１ｄを介してナット３１ｃに螺合される調整ネジ３１ｅとを備えて構成されている。
【００１８】
また、ベース１３における切抜部分１３ｂの上下面には、調整ネジ３１ｅを挿通するためのベース貫通穴１３ｅが形成されている。これらベース貫通穴１３ｅに調整ネジ３１ｅを挿通し、ネジ止め輪３１ｄを介してナット３１ｃに螺合するようになっている。
このようなセンサ面調整部３１を有する非接触型センサ１５をベース１３に取り付ける場合は、ナット３１ｃから調整ネジ３１ｅを外した状態で、非接触型センサ１５をベース１３の凸部１３ａ内に入れる。次に、発光／受光面１５ｄを切抜部分１３ｂに合わせた状態で、調整ネジ３１ｅを、ベース貫通穴１３ｅに挿通し、ネジ止め輪３１ｄを介してナット３１ｃに螺合する。この時点では、調整ネジ３１ｅを緩く螺合しておき、非接触型センサ１５が水平軸１５ｃの支持のみで、自重で重力方向に吊り下がるようにしておく。
【００１９】
次に、図２を参照して上述で説明したようにパチンコ店に遊技盤１１を設置する際に、その盤面１１ａが垂直線２１に対して基準設置角度θ＝約１度で交わるように傾けて設置する。この際、非接触型センサ１５は自重で重力方向Ｇ１に吊り下がるので、発光／受光面１５ｄが水平方向を向く状態となる。
この状態で、調整ネジ３１ｅを閉めて非接触型センサ１５を固定すれば、発光／受光面１５ｄが水平方向を向く状態で固定される。
【００２０】
このような、第２の実施の形態によれば、非接触型センサ１５の発光／受光面１５ｄが水平方向を向く状態で、調整ネジ３１ｅを閉めて非接触型センサ１５を固定することが可能なようにしたので、発光／受光面１５ｄを振動などでぶれないように安定状態で固定することができる。これによって、蛍光灯２３から発光される光による誤作動が、より生じないようにすることができる。
【００２１】
また、非接触型センサ１５にセンサ面調整部３１を備えた場合、水平軸１５ｃがなくてもよい。この構成の場合でも、非接触型センサ１５を調整ネジ３１ｅによって発光／受光面１５ｄが水平方向を向く状態で固定することができる。
また、センサ面調整部３１によって、発光／受光面１５ｄがやや床方向を向くように調整して固定すれば、上方からの光が入射されなくなるので、蛍光灯２３からの発光光による誤作動を完全に防止することができる。つまり、非接触型センサ１５の誤作動による遊技者の意図に反した図柄動作の停止など、パチンコ遊技の誤動作を完全に防止することができる。
また、調整ネジ３１ｅによる調整は、パチンコ機の正面から行うことができるので、容易に調整することができる。
【図面の簡単な説明】
【００２２】
【図１】本発明の第１の実施の形態に係るパチンコ機に取り付けられる非接触型センサの取り付け構造を示し、（ａ）はベースに非接触型センサを取り付けた状態の正面図、（ｂ）は非接触型センサの取り付け構造の分解斜視図、（ｃ）は非接触型センサのベースへの取り付け部分の状態を示す断面図である。
【図２】図１に示すパチンコ機を設置した際の非接触型センサの発光／受光面が向く方向を示す側面図である。
【図３】本発明の第２の実施の形態に係るパチンコ機に取り付けられる非接触型センサの取り付け構造を示し、（ａ）はその正面図、（ｂ）は（ａ）に示すＡ１−Ａ２断面図、（ｃ）は（ｂ）に示す破線枠内の拡大図である。
【図４】パチンコ機の遊技盤における非接触型センサの取り付け位置を示す正面図である。
【図５】従来のベースに対する非接触型センサの取り付け構造の分解斜視図である。
【図６】従来の遊技盤における非接触型センサ部分の断面図である。
【図７】従来のパチンコ機を設置した際の非接触型センサの発光／受光面が向く方向を示す側面図である。
【符号の説明】
【００２３】
１１  遊技盤
１１ａ  盤面
１３  ベース
１３ａ  凸部
１３ｂ  切抜部分
１３ｃ  センサ取付部材
１５  非接触型センサ
１５ａ  発光素子
１５ｂ  受光素子
１５ｃ  水平軸
１５ｄ  発光／受光面
１７，２７  ネジ
１９  手
２１  垂直線
２２  天井
２３  蛍光灯
２５  止め部材
３１  センサ面調整部
３１ａ  貫通穴
３１ｂ  凸状部材
３１ｃ  ナット
３１ｄ  ネジ止め輪
３１ｅ  調整ネジ
【図１】
2005177346.tif 000003
【図２】
2005177346.tif 000004
【図３】
2005177346.tif 000005
【図４】
2005177346.tif 000006
【図５】
2005177346.tif 000007
【図６】
2005177346.tif 000008
【図７】
2005177346.tif 000009